(57)【特許請求の範囲】
【請求項１】
一方の筒端に外向きの鍔部を備え、この鍔部の設けられていない他方の筒端側から取付穴に差し入れ、取り付けられる筒状ソケットと、
水栓金具の取付部を差し入れると共に、差し入れられた該取付部への取付手段を内側に有する筒状組付具とを備える水栓金具の取付具であって、
前記筒状組付具は、前記筒状ソケット内に差し入れられる構成としてあると共に、
前記筒状組付具と、前記筒状ソケットとが、該筒状ソケット内への該筒状組付具の差し入れに伴って、係合される係合手段を備えており、
しかも、該係合手段の一方が、前記筒状ソケットの鍔部の設けられていない筒端とされ、かつ、該係合手段の他方が、この筒状ソケットから突き出されている前記筒状組付具の先端部にあって該筒状ソケットの鍔部が設けられていない筒端に係合する弾性係合片としてあることを特徴とする水栓金具の取付具。
【請求項２】
前記筒状組付具における水栓金具の取付部への取付手段が、該水栓金具の取付部の雄ネジ部に噛合する該筒状組付具の内側に設けられた雌ネジ部とされ、かつ、該筒状組付具がその先端を、前記筒状ソケットから突き出させるように該筒状ソケット内に差し入れられる構成としてあることを特徴とする請求項１記載の水栓金具の取付具。
【発明の詳細な説明】
【０００１】
【発明の属する技術分野】
この発明は、流し台、システムキッチン、洗面台、浴室などの水栓の備えられる取付対象物に対して、水栓金具を取付けるために用いられる取付具の改良に関する。
【０００２】
【従来の技術】
従来、一般に、流し台などの水栓の備えられる取付対象物に対する水栓金具の取り付けは、例えば流し台においては該流し台を構成する天板に透設された取付穴に対し、該天板の表側から水栓金具の取付部を差し入れた後、該天板の裏側にある該取付穴から突き出されている該水栓金具の取付部にナットを締め付け、該取付部の基部側にある水栓金具の一部と、このナットとの間で前記取付穴を挟み込み状に押え付けることによりなされていた。
【０００３】
しかるに、この従来の取り付け手法は、前記ナットによる水栓金具の取付部の締め付けを行うにあたり、前記天板の表側に突き出されている水栓金具を押えながら、該天板の裏側から前記ナットの締め付けをなす必要があり、このため通例、この取り付け作業においては前記天板の表側から水栓金具を押える者と、該天板の裏側から該ナットを締め付ける者との二名の作業者を要する不都合があった。
【０００４】
一方、水栓金具を前記取付対象物の一方側から、例えば、前記天板の表側からワンタッチで取り付けできるようにした取付構造が開示されている。（実開平６−５３６６０）
【０００５】
この取付構造では、前記取付対象物に開設された取付穴に差し入れ、取り付けられる筒状の取付部材が用いられており、この取付部材内に水栓金具の取付部を差し入れ可能とすると共に、この差し入れ状態において、該水栓金具の取付部が取付部材内から抜け出さないようにされている。
【０００６】
すなわち、この取付構造では、前記取付部材の下部に該取付部材の内外に連通される取付溝を備えており、この取付溝に金属製棒材を略コ字状に屈曲させた形状をなす係合具を嵌め付けている。そして、前記水栓金具の取付部の下端に該取付部の周方向を巡る凹溝部を設けておき、前記取付部材内への該水栓金具の取付部の差し入れに伴って、前記係合具が外側に弾性変形して該取付部の端部を受け入れ、かつ、更に該取付部を差し入れることによりこの係合具が受け入れた該端部の凹溝部内に弾性復帰して入り込み、この凹溝部に係合する構成とされている。そして、この係合により該水栓金具の取付部を取付部材内から抜け出されない状態とし、該水栓金具の前記取付対象物への取り付けをなしていた。
【０００７】
【発明が解決しようとする課題】
しかしながら、前記実開平６−５３６６０に示される取付構造は、前記取付部材に設けられた金属製棒材よりなる係合具に係合される前記凹溝部が、この取付構造により取り付けられる水栓金具の取付部に設けられていることを不可欠とするものであった。また、このため該取付構造は、従来より最も一般的に用いられているところの、前記取付部に対する前記ナットの締め付けによって前記取付対象物の取付穴に取り付けられる水栓金具に対しては、その取り付けにあたりそのまま用いることができず、汎用性に欠ける不都合のあるものであった。
【０００８】
そこでこの発明は、前記従来の技術の不都合を解消すること、すなわち、水栓金具の取付部に格別の加工などを施すことなく、取付部に雄ネジ部を備える水栓金具に対しても、また、取付部に前記実開平６−５３６６０に示される取付構造における前記凹溝部などを備えた水栓金具に対しても適応して、該水栓金具の取付部を取付対象物の一方側より該取付対象物の取付穴に対してワンタッチで取り付けることの可能な、汎用性の高い水栓金具の取付具の提供を主目的とする。
【０００９】
【課題を解決するための手段】
前記目的を達成するために、請求項１記載の発明では、水栓金具Ｗの取付具Ｔを、一方の筒端１０ａに外向きの鍔部１１を備え、この鍔部１１の設けられていない他方の筒端１０ｂ側から取付穴Ｈに差し入れ、取り付けられる筒状ソケット１０と、水栓金具Ｗの取付部Ｗ’を差し入れると共に、差し入れられた該取付部Ｗ’への取付手段を内側に有する筒状組付具２０とを備える構成のものとし、さらに、前記筒状組付具２０が、前記筒状ソケット１０内に差し入れられる構成とすると共に、前記筒状組付具２０と、前記筒状ソケット１０とが、該筒状ソケット１０内への該筒状組付具２０の差し入れに伴って、係合される係合手段Ｒを備えており、該係合手段Ｒの一方が、前記筒状ソケット１０の鍔部１１の設けられていない筒端１０ｂとされ、かつ、該係合手段Ｒの他方が、この筒状ソケット１０から突き出されている前記筒状組付具２０の先端部にあって該筒状ソケット１０の鍔部１１が設けられていない筒端１０ｂに係合する弾性係合片２１としてある構成のものとした。
【００１０】
また、請求項２記載の発明では、請求項１記載の水栓金具Ｗの取付具Ｔにおいてさらに、前記筒状組付具２０における水栓金具Ｗの取付部Ｗ’への取付手段が、該水栓金具Ｗの取付部Ｗ’の雄ネジ部Ｗ”に噛合する該筒状組付具２０の内側に設けられた雌ネジ部２２とされ、かつ、該筒状組付具２０がその先端を、前記筒状ソケット１０から突き出させるように該筒状ソケット１０内に差し入れられる構成のものとした。
【００１１】
【発明の実施の形態】
以下、この発明の実施の形態を、図１ないし図２０に基いて説明する。
【００１２】
なお、図１は、この発明の実施の形態の一つとされる取付具Ｔの全体構成を理解し易いように、該取付具Ｔを構成する各部品と、該取付具Ｔによって取り付けられる水栓金具Ｗの取付部Ｗ’およびこの水栓金具Ｗの取付対象物、ここでは天板Ｋの要部を、それぞれ斜視の状態で示している。
【００１３】
また、図２および図３は、前記取付具Ｔによる前記水栓金具Ｗの取付状態を理解し易いように、該取付状態における取付具Ｔおよび前記天板Ｋの一部を縦断面の状態として（図２）、また、該水栓金具Ｗの取付状態を図２における下側から見た状態で（図３）、それぞれ示している。
【００１４】
また、図４ないし図６は、前記取付具Ｔを構成する筒状ソケット１０の構成を理解し易いように、該筒状ソケット１０を側方から見た状態で（図４）、また、図４における鍔部１１が設けられている筒端１０ａ側から見た状態で（図５）、さらに、縦断面の状態として（図６）、それぞれ示している。
【００１５】
また、図７ないし図９は、前記取付具Ｔを構成する押え部材３０の構成を理解し易いように、該押え部材３０を側方から見た状態で（図７）、また、図７における上側から見た状態で（図８）、さらに、縦断面の状態として（図９）、それぞれ示している。
【００１６】
また、図１０ないし図１３は、前記取付具Ｔを構成する筒状組付具２０の具体的構成例としての筒状組付具２０’の構成を理解し易いように、該筒状組付具２０を側方から見た状態で（図１０）、また、横断面の状態として（図１１、図１２）、また、縦断面の状態とすると共に、該筒状組付具２０における弾性係合片２１部分を拡大した状態を併せて表わして（図１３）、それぞれ示している。
【００１７】
また、図１４は、図１ないし図１３において示される実施の形態における取付具Ｔの他の構成例、すなわち、前記筒状組付具２０’よりも内径を小さくするように構成された筒状組付具２０”を用いて取付具Ｔと構成した例を理解し易いように、該取付具Ｔを構成する各部品と、該取付具Ｔによって取り付けられる水栓金具Ｗの取付部Ｗ’および天板Ｋの要部を、それぞれ斜視の状態で示している。
【００１８】
また、図１５および図１６は、前記取付具Ｔの他の構成例における前記水栓金具Ｗの取付状態を理解し易いように、該取付状態における取付具Ｔおよび前記天板Ｋの一部を縦断面の状態として（図１５）、また、該水栓金具Ｗの取付状態とした図１５における下側から見た状態で（図１６）、それぞれ示している。
【００１９】
さらに、図１７ないし図２０は、前記取付具Ｔの他の構成例における筒状組付具２０”の構成を理解し易いように、該筒状組付具２０を側方から見た状態で（図１７）、また、横断面の状態として（図１８、図１９）、また、縦断面の状態とすると共に、また筒状組付具２０における弾性係合片２１部分を拡大した状態として（図２０）、それぞれ示している。
【００２０】
以上の各図に示される取付具Ｔは、流し台、システムキッチン、洗面台、浴室などの水栓の備えられる取付対象物に対して、水栓金具Ｗを取り付けるために用いられる。
【００２１】
すなわち、この実施の形態における取付具Ｔは、一方の筒端１０ａに外向きの鍔部１１を備え、この鍔部１１の設けられていない他方の筒端１０ｂ側から、前記取付対象物における水栓金具Ｗの取付け箇所、典型的には、天板ＫのバックガードＳに近傍に開設された取付穴Ｈに対して、差し入れ、取り付けられる筒状ソケット１０と、水栓金具Ｗの取付部Ｗ’を差し入れると共に、差し入れられた該取付部Ｗ’への取付手段を内側に有する筒状組付具２０を主体に構成されている。そして、この筒状組付具２０は、前記筒状ソケット１０内に差し入れられる構成としてあると共に、この筒状組付具２０と筒状ソケット１０とに、該筒状ソケット１０内への該筒状組付具２０の差し入れに伴って、この筒状組付具２０と筒状ソケット１０とを係合させる係合手段Ｒを備える構成とされている。
【００２２】
従って、この実施の形態における取付具Ｔによれば、前記天板Ｋに開設された取付穴Ｈに前記筒状ソケット１０を差し入れ、この筒状ソケット１０を前記天板Ｋに予め取り付けておくと共に、前記水栓金具Ｗの取付部Ｗ’に対して前記筒状組付具２０を、該筒状組付具２０内にこの取付部Ｗ’を差し入れ、かつ、この取付部Ｗ’に対して前記取付手段をもって該筒状組付具２０を取り付けておくことにより、この筒状組付具２０を前記筒状ソケット１０内に差し入れるだけで、前記係合手段Ｒにより両者を係合させることができ、これにより、前記天板Ｋの表面Ｋ’側から水栓金具Ｗを該天板Ｋに対してワンタッチで取り付けることができ、一名の作業者で水栓金具Ｗの取り付けを行うことができる。
【００２３】
また、水栓金具Ｗの取付部Ｗ’には前記筒状組付具２０のみが直接取り付けられることから、この筒状組付具２０が差し入れ、係合される前記筒状ソケット１０の構成を変えることなく、したがってまた、この筒状ソケット１０の取り付けられる取付穴Ｈの穴径、穴形状に変更を加えることなく、筒状組付具２０の内径を適宜変更することにより、例えば前記のように内径を図１０ないし図１３に示される筒状組付具２０’よりも小さくするように構成した前記筒状組付具２０”を別途用意しておくことにより、前記取付部Ｗ’の径を異にする種々の水栓金具Ｗの取り付けに対応しうるものである。
【００２４】
この筒状組付具２０の内径の変更は、該筒状組付具２０の肉厚を変えることにより、あるいは、図１７ないし図２０に示される前記筒状組付具２０”のように、筒状組付具２０”の肉厚を変えることなく該筒状組付具２０”の一部に縮径部２０ｃを設けることにより、達成される。
【００２５】
また、筒状ソケット１０内に差し入れられる前記筒状組付具２０と該筒状ソケット１０とを係合させる係合手段Ｒは、この差し入れに伴って該差し入れ終了位置で該筒状ソケット１０内より該筒状組付具２０が抜け出さないように、前記係合をなすものであれば良く、その具体的構成は問わないものである。
【００２６】
また、前記実施の形態における取付具Ｔにおいて、さらに、前記筒状組付具２０における水栓金具Ｗの取付部Ｗ’への取付手段が、該水栓金具Ｗの取付部Ｗ’の雄ネジ部Ｗ”に噛合する該筒状組付具２０の内側に設けられた雌ネジ部２２とされ、かつ、該筒状組付具２０がその先端を、前記筒状ソケット１０から突き出させるように該筒状ソケット１０内に差し入れられる構成とすると共に、前記係合手段Ｒの一方を、前記筒状ソケット１０の鍔部１１の設けられていない筒端２０ｂとし、かつ、前記係合手段Ｒの他方を、該筒状ソケット１０から突き出されている該筒状組付具２０の先端部にあって該筒状ソケット１０の鍔部１１の設けられていない筒端２０ｂに係合する弾性係合片２１として構成することが、この発明の最良の実施の形態の一つとされる。
【００２７】
かかる構成によれば、前記天板Ｋに開設された取付穴Ｈに前記筒状ソケット１０を差し入れ、取り付けておくと共に、前記水栓金具Ｗの雄ネジ部Ｗ”に対して前記筒状組付具２０を、該筒状組付具２０内にこの取付部Ｗ’を差し入れ、かつ、この取付部Ｗ’に設けられた雄ネジ部Ｗ”に該筒状組付具２０内側に設けられた雌ネジ部２２を噛合させて取り付けた後、この筒状組付具２０を前記筒状ソケット１０内に差し入れて、前記係合手段Ｒにより両者を係合させることができ、これにより、水栓金具Ｗを前記天板Ｋに対してワンタッチで取り付けることが可能となる。
【００２８】
また、前記筒状組付具２０は、前記水栓金具Ｗの取付部Ｗ’に対して、該取付部Ｗ’に設けられた雄ネジ部Ｗ”に該筒状組付具２０内側に設けられた雌ネジ部２２を噛合させて取り付けられることから、この実施の形態における取付具Ｔによる水栓金具Ｗの取り付けにあたっては、水栓金具Ｗの取付部Ｗ’に格別の加工等を施す必要がない。
【００２９】
また、このように、筒状組付具２０に設けられた係合手段Ｒの一方を、弾性係合片２１として構成した場合、この筒状組付具２０の前記筒状ソケット１０内への差し入れにあたり該弾性係合片２１を該筒状ソケット１０の内側面１０ｃに接しさせて前記筒状組付具２０の内方に向けて撓み込ませた後、この弾性係合片２１の設けられている筒状組付具２０の先端部が筒状ソケット１０から突き出された位置で該弾性係合片２１を前記撓み込みに抗して弾性復帰させて、前記筒状ソケット１０の鍔部１１の設けられていない筒端１０ｂに係合させることができる。
【００３０】
これにより、前記筒状ソケット１０に対し前記筒状組付具２０を、該筒状ソケット１０内から抜け出さないように、ワンタッチで、かつかつ確実に組み付けることができる。
【００３１】
なお、係合手段Ｒの一方をこのように弾性係合片２１として構成する場合には、この弾性係合片２１に所要に弾性変形特性を付与する観点から、前記筒状ソケット１０は、プラスチック材料を用いて一体に成形して構成することが好ましい。
【００３２】
次いで、この発明の最良の実施の形態の一つを、図１ないし図２０に基づいて、より詳細に説明する。
【００３３】
図１および図２に示される取付具Ｔは、取付対象物、ここでは、流し台などの天板ＫのバックガードＳ近傍に、該天板Ｋの表面Ｋ’から裏面Ｋ”に亘って該天板Ｋに透設された略丸穴状をなす取付穴Ｈに対して、該取付穴Ｈの天板Ｋの表面Ｋ’側の開口より差し入れ、取り付けられる筒状ソケット１０と、この取付穴Ｈの天板Ｋの裏面Ｋ”側の開口より突き出される該筒状ソケット１０の筒端１０ｂ側から該筒状ソケット１０の外側に組み付けられて、該筒状ソケット１０を前記取付穴Ｈに固定する押え部材３０と、水栓金具Ｗの取付部Ｗ’を差し入れた状態で、該取付部Ｗ’に取り付けられ、かつ、このように水栓金具Ｗの取付部Ｗ’に取り付けられた状態で、前記筒状ソケット１０内に差し入れ、組み付けられる筒状組付具２０と、二枚のパッキン４０、４０とにより構成されている。
【００３４】
先ず、図４ないし図６に特に示されるように、前記筒状ソケット１０は、略円筒状をなすと共に、一方の筒端１０ａに、環状をなす外向きの鍔部１１を備えている。そして、この鍔部１１の設けられていない側の筒端１０ｂより前記天板Ｋの取付穴Ｈに差し入れられ、この鍔部１１の下面１１ｂを該取付穴Ｈの穴周縁部に接しさせた状態で、該取付穴Ｈに差し入れ、収められる構成としてある。
【００３５】
また、該筒状ソケット１０の外側面１０ｄには、前記鍔部１１の設けられていない側の筒端１０ｂから該筒状ソケット１０の筒軸方向略中程の位置に亘って、雄ネジ部１２が設けられている。
【００３６】
また、該筒状ソケット１０の前記鍔部１１の設けられている側の開口内縁部には、該筒状ソケット１０の該開口から他方の開口に向けて延びる複数の溝１３、１３…が、相互に略等しい間隔を開けて設けられている。
【００３７】
一方、このように構成される筒状ソケット１０を前記取付穴Ｈに対して固定する前記押え部材３０は、図７ないし図９に示されるように、内側に前記筒状ソケット１０の前記鍔部１１が設けられていない側の筒端１０ｂを差し入れ可能とすると共に、該筒端１０ｂ側に設けられた前記雄ネジ部１２に噛合される雌ネジ部３１を備えた略円筒状に構成されている。
【００３８】
従って、図２に特に示されるように、前記筒状ソケット１０を前記天板Ｋの表面Ｋ’側にある前記取付穴Ｈの開口より、前記鍔部１１が設けられていない側の筒端１０ｂ側から差し入れた後、該天板Ｋの裏面Ｋ”側において前記取付穴Ｈから突き出されている筒状ソケット１０の筒端１０ｂの雄ネジ部１２に雌ネジ部３１を噛合させるように前記押え部材３０を回転させながら該筒状ソケット１０の外側に取り付けることができ、この押え部材３０が前記天板Ｋの裏面Ｋ”側にある前記取付穴縁部に接する位置までこの回転をなすことにより、前記筒状ソケット１０の鍔部１１とこの押え部材３０との間で天板Ｋの取付穴縁部を挟み込み状に締め付けて、前記取付穴Ｈに対して筒状ソケット１０を固定することができる。
【００３９】
なお、この実施例では、前記押え部材３０の外側面が、六角ナットの外側面形状に倣った形状をなすように、該押え部材３０をプラスチック材料を用いて一体に成形して構成してあり、前記回転操作をレンチなどの工具を用いて行い易い構成としてある。また、図中、符号３２で示されるのは、該押え部材３０の成形歪の低減などを目的として設けられる肉抜き穴である。
【００４０】
次いで、図１０ないし図１３で示されるように、前記筒状組付具２０’は、略円筒状をなすと共に、一方の筒端２０ｂにあって、該筒状組付具２０の直径方向両側位置に、前記係合手段Ｒを構成する一対の弾性係合片２１、２１を備えて構成されている。
【００４１】
この弾性係合片２１は、図１０および図１３に特に示されるよう、前記筒状組付具２０’の筒端２０ｂ縁との間に若干の間隔を開けて、該筒端２０ｂ側から他方の筒端２０ａ側に向け、かつ、互いに略平行をなすように透設される一対の垂直溝部２４ａ、２４ａと、この一対の垂直溝部２４ａ、２４ａの前記他方の筒端２０ａ側の溝端においてそれぞれ該垂直溝部２４ａ、２４ａに連通するように透設される水平溝部２４ｂとを備えるコ字状をなす割り欠き溝２４により、該筒状組付具２０’において区分されて設けられている。
【００４２】
すなわち、該弾性係合片２１は、前記筒状組付具２０’の一方の筒端２０ｂ側を基部とし、前記他方の筒端２０ａ側を自由端とするように、該筒状組付具２０’の前記一方の筒端２０ｂ部に設けられている。
【００４３】
この弾性係合片２１の前記自由端部には、前記筒状組付具２０’の外方に向けて突き出す係合突部２１ａが設けられており、この係合突部２１ａには前記他方の筒端２０ａ側を向いた係合面２１ｂが設けられている。
【００４４】
また、該係合突部２１ａの前記一方の筒端２０ｂ側に向けられた側部からは、この係合突部２１ａの前記基部側に向けて、三条のリブ２１ｃ、２１ｃいが設けられており、この三条リブ２１ｃ、２１ｃ…は、前記基部側に向けて次第に前記筒状組付具２０’の外側面からの突き出し寸法を小さくするように構成されている。
【００４５】
また、前記筒状組付具２０’の内側面には、筒軸方向略中央位置に、前記水栓金具Ｗの取付部Ｗ’に設けられた雄ネジ部Ｗ”に噛合する雌ネジ部２２が設けられており、この雌ネジ部２２は前記弾性係合片２１を区分する割り欠き溝２４の直上位置で終了している。
【００４６】
従って、この筒状組付具２０’の前記弾性係合片２１が設けられていない側の筒端２０ａよりこの筒状組付具２０内に差し入れられた水栓金具Ｗの取付部Ｗ’に対し、この筒状組付具２０’の前記雌ネジ部２２と該取付部Ｗ’の雄ネジ部Ｗ”とが噛合されるように、この筒状組付具２０を回転させることにより、この筒状組付具２０を水栓金具Ｗの取付部Ｗ’に取り付けることができる。
【００４７】
そしてこの後、水栓金具Ｗの取付部Ｗ’に差し入れた筒状組付具２０’を、前記弾性係合片２１が設けられている筒端２０ｂ側より、先に前記天板Ｋの取付穴Ｈに取り付けられた筒状ソケット１０の鍔部１１が設けられている筒端１０ａ側から該筒状ソケット１０内にこの水栓金具Ｗの取付部Ｗ’に連設されている給水配管Ｐ−１、給湯配管Ｐ−２共々差し入れることができる。
【００４８】
このように筒状組付具２０’を差し入れると、前記筒端２０ｂに設けられている弾性係合片２１は、その係合突部２１ａを前記筒状ソケット１０の開口縁に突き当てる寸法に構成してあるが、該弾性係合片２１は該筒端２０ｂ側に向けて次第に突き出し寸法を小さくする前記リブ２１ｃをこの筒端２０ｂ側に向けて備えており、また、前記水栓金具Ｗの取付部Ｗ’に設けられている雄ネジ部Ｗ”に噛合する雌ネジ部２２は該弾性係合片２１の直上で終了しており、該弾性係合片２１が設けられている筒端２０ｂ部内方に該取付部Ｗ’は位置されないことから、前記突き当てにより弾性係合片２１を次第に筒状組付具２０’の内方に向けて撓み込ませることができる。
【００４９】
この後、さらに、筒状ソケット１０に対して筒状組付具２０’を差し入れ、該筒状ソケット１０が該筒状ソケット１０の鍔部１１が設けられていない側の筒端１０ｂから該筒状組付具２０’の前記弾性係合片２１が設けられている側の筒端２０ｂを突き出させる位置まで差し込ませると、前記のように撓み込まされた弾性係合片２１が弾性復帰され、再び係合突部２１ａを外方に突き出させるに至る。この結果、該弾性係合片２１の自由端部に設けられた係合突部２１ａの係合面２１ｂを前記筒状ソケット１０の鍔部１１が設けられていない側の筒端１０ｂに係合させることができる。
【００５０】
これにより、前記筒状組付具２０’は、前記筒状ソケット１０に対して、前記係合位置より上方に抜け出さない状態で差し込み、組み付けることができると共に、該筒状組付具２０’内に取付部Ｗ’を差し入れた前記水栓金具Ｗを天板Ｋの取付穴Ｈに対して、この実施の形態では該天板Ｋの表面Ｋ’に対して略直交する向きに突き出すように組み付けることができる。
【００５１】
なお、この実施の形態では、前記弾性係合片２１の前記係合面２１ｂには、三つの小突起２１ｄ、２１ｄ…が設けてあり、若干の寸法誤差があっても、この小突起２１ｄによりこの誤差を吸収して前記筒状ソケット１０を筒状組付具２０とをガタなく組み付けることができるものとされている。
【００５２】
この実施の形態では、また、前記筒状組付具２０’の前記弾性係合片２１が設けられていない側の筒端２０ａの外側部であって、直径方向略両側位置にそれぞれ、該筒端２０ａ側から他方の筒端２０ｂに向けて延びる３条のリブ状の回り止め突部２３、２３…が備えられており、前記筒状ソケット１０への差し入れに伴って、この回り止め突部２３、２３…が該筒状ソケット１０の鍔部１１が設けられている側の開口内縁部に設けられた前記複数の溝１３、１３…のいずれかにそれぞれ収まり入る構成とされている。
【００５３】
従って、前記筒状組付具２０’は、この溝１３への前記回り止め突部２３の収め入れにより、この溝１３の終端、すなわち、前記筒状ソケット１０の鍔部１１が設けられていない側の筒端２０ｂ側の溝端部に回り止め突部２３の一端が突き当たる位置より先には該筒状ソケット１０内に差し入れることができないものとされている。また、この溝１３への前記回り止め突部２３の収め入れにより、前記筒状組付具２０’の前記筒状ソケット１０内での回転を阻止することができ、この結果、該筒状組付具２０’に差し入れられている前記水栓金具Ｗの天板Ｋに対する取り付け状態は安定的に維持される。
【００５４】
なお、この実施の形態では、図１および図２に特に示されるように、前記筒状ソケット１０の鍔部１１下面１１ｂと前記取付穴Ｈの穴縁部との間、および、該鍔部１１の上面１１ａと水栓金具Ｗの取付部Ｗ’上端の段面との間にリング状のパッキン４０、４０を介装させて、水栓金具Ｗの取付箇所の水密性を確保している。
【００５５】
次いで、前記筒状組付具２０として使用される他の筒状組付具２０”、すなわち、図２に示される水栓金具Ｗよりも取付部Ｗ’の径をやや小さいものとする水栓金具Ｗに対応するように、図１０ないし図１３に示される前記筒状組付具２０’に比し、内径の一部をやや小さく構成した筒状組付具２０”について、図１７ないし図２０に基いて説明する。
【００５６】
図１７ないし図２０に特に示される筒状組付具２０”は、その筒軸方向の中央部を、その両筒端２０ａ、２０ｂの径より縮径とする縮径部２０ｃとしており、この縮径部２０ｃの内側面に前記水栓金具Ｗの取付部Ｗ’の雄ネジ部Ｗ”に噛合する雌ネジ部２２を備えている。
【００５７】
また、この縮径部２０ｃの両側に位置する両筒端２０ａ、２０ｂの外径は、前記図２に示される水栓金具Ｗの取付部Ｗ’に取付けられる筒状組付具２０’の外径と等しく構成されている。
【００５８】
従って、この筒状組付具２０”は、前記図２に示される水栓金具Ｗよりも取付部Ｗ’の径をやや小さくする図１４および図１５に示される水栓金具Ｗの取付部Ｗ’を差し入れ、この取付部Ｗ’の雄ネジ部Ｗ”に雌ネジ部２２を噛合させて取り付けることができると共に、この取付部Ｗ’に取り付けられた状態で前記図２に示される水栓金具Ｗの取り付けに用いられたものと同一の筒状ソケット１０に対して差し入れることができ、これにより、該筒状ソケット１０に係合して、前記水栓金具Ｗを取付穴Ｈに対して安定的に取り付けることができる。
【００５９】
なお、この筒状組付具２０”の前記縮径部２０ｃ外側には、前記両筒端２０ａ、２０ｂとこの縮径部２０ｃとの間の段部間に亘る四条の補強リブ２０ｄが等間隔に設けてある。
【００６０】
なおまた、以上に説明したこの筒状組付具２０”のその余の構成およびこの筒状組付具２０”を含んで構成される取付具Ｔ、この取付具Ｔにより取付けられる水栓金具Ｗ、この水栓金具Ｗの取付対象となる天板Ｋの構成は、前記図１ないし図１３で示される筒状組付具２０’、取付具Ｔ、水栓金具Ｗ、天板Ｋの構成と同一又は実質的に同一であるので、この同一又は実質的に同一の構成部分については、図１４ないし図２０において、図１ないし図１３で用いた符号と同一の符号を付して、その説明を省略する。
【００６１】
【発明の効果】
この発明に係る水栓金具Ｗの取付具Ｔによれば、水栓金具Ｗの取付穴Ｈに前記筒状ソケット１０を差し入れ、取り付けておくと共に、該水栓金具Ｗの取付部Ｗ’に対して筒状組付具２０を、該筒状組付具２０内にこの取付部Ｗ’を差し入れ、かつ、この取付部Ｗ’に対して該筒状組付具２０内側に設けられた取付手段をもって取り付けた後に、この筒状組付具２０を前記筒状ソケット１０内に差し入れて、前記係合手段Ｒにより両者を係合させることで、水栓金具Ｗをワンタッチで取り付けることができ、水栓金具Ｗの取り付けを単独の作業者により容易かつスムースに行うことができる。
【００６２】
また、水栓金具Ｗの取付部Ｗ’には前記筒状組付具２０のみが直接取り付けられることから、この筒状組付具２０の差し入れ、係合される筒状ソケット１０の構成を変えることなく、従ってまたこの筒状組付具２０が差し入れ、取り付けられる取付穴Ｈの穴径、穴形状などを変えることなく、筒状組付具２０の内径を適宜変更して、前記取付部Ｗ’の径を異にする種々の水栓金具Ｗの取り付けに対応することができる特長を有する。
【００６３】
さらに、請求項２記載の発明では、前記筒状組付具２０の水栓金具Ｗの取付部Ｗ’への取付手段が、該水栓金具Ｗの取付部Ｗ’の雄ネジ部Ｗ”に噛合する該筒状組付具２０の内側に設けられた雌ネジ部２２とされ、かつ、該筒状組付具２０がその先端を前記筒状ソケット１０から突き出させるように該筒状ソケット１０内に差し入れられる構成とすると共に、前記係合手段Ｒの一方を、前記筒状ソケット１０の鍔部１１の設けられていない筒端２０ｂとし、かつ、前記係合手段Ｒの他方を、該筒状ソケット１０から突き出されている該筒状組付具２０の先端部にあって該筒状ソケット１０の鍔部１１の設けられていない筒端２０ｂに係合する弾性係合片２１として構成していることから、水栓金具Ｗの取付穴Ｈに前記筒状ソケット１０を差し入れ、取り付けておくと共に、該水栓金具Ｗの取付部Ｗ’に対して筒状組付具２０を、該筒状組付具２０内にこの取付部Ｗ’を差し入れ、かつ、この取付部Ｗ’に設けられた雄ネジ部Ｗ”に該筒状組付具２０内側に設けられた雌ネジ部２２を噛合させて取り付けた後に、この筒状組付具２０を前記筒状ソケット１０内に差し入れて、前記係合手段Ｒにより両者を係合させることで、水栓金具Ｗをワンタッチで取り付けることができ、水栓金具Ｗの取り付けを単独の作業者により容易かつスムースに行うことができる。
【００６４】
また、前記筒状組付具２０の前記筒状ソケット１０内への差し入れにあたり該弾性係合片２１を該筒状ソケット１０の内側面に接しさせて前記筒状組付具２０の内方に向けて撓み込ませた後、この弾性係合片２１の設けられている筒状組付具２０の先端部が筒状ソケット１０から突き出された位置で前記撓み込みに抗して弾性復帰させて、この弾性係合片２１を前記筒状ソケット１０の鍔部１１の設けられていない筒端１０ｂに係合させることができる。
【００６５】
これにより、前記筒状ソケット１０に対し前記筒状組付具２０を、該筒状ソケット１０内から抜け出さないように、ワンタッチで、かつ確実に差し入れ、組み付けて、前記水栓金具Ｗを取付対象物に取り付けることができる。
【図面の簡単な説明】
【図１】水栓金具Ｗの取付部Ｗ’および天板Ｋの要部並びに取付具Ｔを構成する各部品の斜視図
【図２】取付具Ｔの使用状態を示す縦断面図
【図３】図２における矢印イ方向から見た底面図
【図４】筒状ソケット１０の側面図
【図５】筒状ソケット１０の平面図
【図６】図５におけるロ−ロ線断面図
【図７】押え部材３０の側面図
【図８】押え部材３０の平面図
【図９】図８におけるハ−ハ線断面図
【図１０】筒状組付具２０’の側面図
【図１１】図１０におけるニ−ニ線断面図
【図１２】図１０におけるホ−ホ線断面図
【図１３】筒状組付具２０’の縦断面図
【図１４】水栓金具Ｗの取付部Ｗ’および天板Ｋの要部並びに取付具Ｔを有する各部品の斜視図
【図１５】取付具Ｔの使用状態を示す縦断面図
【図１６】図１６における矢印ヘ方向から見た底面図
【図１７】筒状組付具２０”の側面図
【図１８】図１７におけるト−ト線断面図
【図１９】図１７におけるチ−チ線断面図
【図２０】筒状組付具２０”の縦断面図
【符号の説明】
１０  筒状ソケット
１０ａ  筒端
１０ｂ  筒端
１１  鍔部
２０  筒状組付具
２１  弾性係合片
２２  雌ネジ部
Ｗ  水栓金具
Ｗ’  取付部
Ｗ”  雌ネジ部
【図１】
0003594368.tif 000002
【図２】
0003594368.tif 000003
【図３】
0003594368.tif 000004
【図４】
0003594368.tif 000005
【図５】
0003594368.tif 000006
【図６】
0003594368.tif 000007
【図７】
0003594368.tif 000008
【図８】
0003594368.tif 000009
【図９】
0003594368.tif 000010
【図１０】
0003594368.tif 000011
【図１１】
0003594368.tif 000012
【図１２】
0003594368.tif 000013
【図１３】
0003594368.tif 000014
【図１４】
0003594368.tif 000015
【図１５】
0003594368.tif 000016
【図１６】
0003594368.tif 000017
【図１７】
0003594368.tif 000018
【図１８】
0003594368.tif 000019
【図１９】
0003594368.tif 000020
【図２０】
0003594368.tif 000021